(57)【要約】      （修正有）【課題】バルコニー等の屋外の床及び壁に倣って変形でき、壁及び床に強固に固着することのできる横引きドレイン管を提供する。【解決手段】横引きドレイン管は、鍔板本体及び管本体２を備える。鍔板本体は、壁Ｗに固着される縦側鍔平板３、及び床Ｆに固着され、縦側鍔平板３に直交して一体形成された横側鍔平板４を有する。管本体２は、縦側鍔平板３に開口して壁Ｗ内に設けられ、一方の管端を鍔板本体に一体形成する。縦側鍔平板３、横側鍔平板４、及び管本体２は、繊維強化軟質樹脂で形成される。【選択図】図９
0003206461.tif 000002
【実用新案登録請求の範囲】
【請求項１】
バルコニー等の屋外の床と、前記床に立設された壁とに固着されると共に、前記壁内に設けられ、前記床を流れる水を排水する横引きドレイン管であって、
前記壁に固着される縦側鍔平板、前記床に固着され、前記縦側鍔平板に直交して一体形成された横側鍔平板を有する鍔板本体と、
前記縦側鍔平板に開口して前記壁内に設けられ、一方の管端を前記鍔板本体に一体形成した管本体と、を備え、
前記縦側鍔平板、前記横側鍔平板、及び前記管本体は、
繊維強化軟質樹脂で形成される
ことを特徴とする横引きドレイン管。
【考案の詳細な説明】
【技術分野】
【０００１】
本考案は、バルコニー等の屋外の床を流れる水を排水するための横引きドレイン管に関する。
【背景技術】
【０００２】
特許文献１は、横引きドレイン管を開示する。横引きドレイン管は、屋外のベランダ等に設置され、バルコニーを流れる水（雨水）を横向きで排水する。横引きドレイン管は、ベランダ等の床面に接着される横向きフランジと、ベランダ等の壁面に接着される縦向きフランジと、縦向きフランジに開口して壁内に設けられる管を備える。横引きドレイン管は、主として、横向きフランジ、縦向きフランジ及び管を硬質ＦＲＰ（Glass  Fiber  Reinforced  Plastics）で一体形成される。
【先行技術文献】
【特許文献】
【０００３】
【特許文献１】特開２００１−３２９６６６号公報
【考案の概要】
【考案が解決しようとする課題】
【０００４】
しかしながら、横引きドレイン管を硬質ＦＲＰで一体形成すると、縦向きフランジ及び横向きフランジは、柔軟性（可撓性）に劣り、各フランジを屋外の床及び壁に倣って変形することが困難である。
【０００５】
本考案は、バルコニー等の屋外の床及び壁に倣って変形でき、壁及び床に強固に固着することのできる横引きドレイン管を提供することにある。
【課題を解決するための手段】
【０００６】
本考案に係る請求項１は、バルコニー等の屋外の床と、前記床に立設された壁とに固着されると共に、前記壁内に設けられ、前記床を流れる水を排水する横引きドレイン管であって、前記壁に固着される縦側鍔平板、前記床に固着され、前記縦側鍔平板に直交して一体形成された横側鍔平板を有する鍔板本体と、前記縦側鍔平板に開口して前記壁内に設けられ、一方の管端を前記鍔板本体に一体形成した管本体と、を備え、前記縦側鍔平板、前記横側鍔平板、及び前記管本体は、繊維強化軟質樹脂で形成されることを特徴とする横引きドレイン管である。
本考案に係る請求項１では、繊維強化軟質樹脂は、軟質ＦＲＰ（Glass  Fiber  Reinforced  Plastics）であって、ガラス繊維を強化材とし、軟質樹脂（例えば、軟質ポリエステル樹脂）をマトリックス樹脂として構成することも採用できる。
【考案の効果】
【０００７】
本考案に係る請求項１によれば、縦側鍔平板及び横側鍔平板（鍔板本体）を繊維強化軟質樹脂で形成しているので、可撓性（柔軟性）を有する。これにより、縦側鍔平板及び横側鍔平板を屋外の床及び壁に倣うように変形することができ、シール材（接着剤）にて床及び壁に強固に固着（一体化）でき、防水性に優れたものとなる。
【図面の簡単な説明】
【０００８】
【図１】本考案に係る横引きドレイン管を示す斜視図である。
【図２】本考案に係る横引きドレイン管を示す正面図である。
【図３】本考案に係る横引きドレイン管を示す側面図である。
【図４】本考案に係る横引きドレイン管を示す上面図（表面図）である。
【図５】本考案に係る横引きドレイン管を示す底面図（裏面図）である。
【図６】図２のＡ−Ａ断面図である。
【図７】図２のＢ−Ｂ断面図である。
【図８】穴溝工程を説明するための図であって、（ａ）は斜視図、（ｂ）は図８（ａ）のＣ−Ｃ断面図である。
【図９】固着工程を説明するための斜視図である。
【図１０】図９のＤ−Ｄ断面図である。
【図１１】図１０において、縦側鍔平板及び縦側穴溝を示す要部拡大図である。
【図１２】図１０において、横側鍔平板及び横側穴溝を示す要部拡大図である。
【図１３】施設工程を説明するための斜視図である。
【図１４】図１３のＥ−Ｅ断面図である。
【図１５】仕上工程を説明するための斜視図である。
【図１６】図１５のＦ−Ｆ断面図である。
【考案を実施するための形態】
【０００９】
本考案に係る横引きドレイン管について、図１乃至図１６を参照して説明する。
【００１０】
図１乃至図１６において、横引きドレイン管Ｘは、鍔板本体１と、管本体２を備える。
【００１１】
鍔板本体１は、図１乃至図７に示すように、縦側鍔平板３と、横側鍔平板４を有する。
鍔板本体１は、縦側鍔平板３及び横側鍔平板４により「Ｌ字状（図１及び図５では逆Ｌ字形）」に形成される。縦側鍔平板３、及び横側鍔平板４は、例えば、板厚Ｔを有して、長方形に形成される。
横側鍔平板４は、縦側鍔平板３の表面３Ａ（縦側鍔平板３）に直交して配置される。横側鍔平板４は、縦側鍔平板３に一体形成される。
縦側鍔平板３及び横側鍔平板４は、一方の板幅端３ａ，４ａ同士を当接して一体形成され、各鍔平板３，４の表面３Ａ，４Ａを相互に対向し、及び直交して配置する。
【００１２】
管本体２は、図１乃至図７に示すように、縦側鍔平板３の裏面３Ｂ側に配置される。管本体２は、縦側鍔平板３に開口して配置される。管本体２は、一方の管端２Ａを鍔板本体１（縦側鍔平板３及び横側鍔平板４）に一体形成して、鍔板本体１に連結される。
【００１３】
管本体２は、円筒形に形成され、一方の管端２Ａ側に横側鍔平板４の一方の板幅端４ａに連続する管底平板部２Ｈを有し、縦側鍔平板３の裏面３Ｂから後方向に延在される。
管本体２は、縦側鍔平板３に開口するドレイン穴５を有する。ドレイン穴５は、一方の管端２Ａ（縦側鍔平板３の表面３Ａ）及び他方の管端２Ｂに開口して、各管端２Ａ，２Ｂ間に延在される。
ドレイン穴５は、縦側鍔平板３を貫通して、縦側鍔平板３の表面３Ａに開口する。ドレイン穴５は、横側鍔平板４（表面４Ａ）の位置において、縦側鍔平板３の表面３Ａに開口する。
【００１４】
管本体２、及びドレイン穴５は、一方の管端２Ａから他方の管端２Ｂに向けて段々に縮径して延在される。
管本体２は、横側鍔平板４の裏面４Ｂ（表面４Ａ）に対して水勾配θ（傾斜角度）を有して、縦側鍔平板３に一体形成される。水勾配θは、横側鍔平板４（表面４Ａ）と直交する方向において、横側鍔平板４の裏面４Ｂから縦側鍔平板３と反対方向（下方向）に傾斜する。水勾配θは、例えば、θ＝１〜７度とする。
【００１５】
横引きドレイン管Ｘにおいて、鍔板本体１の縦側鍔平板３、鍔板本体１の横側鍔平板４、及び管本体２は、繊維強化軟質樹脂で一体形成される。
繊維強化軟質樹脂は、例えば、軟質ＦＲＰ（Glass  Fiber  Reinforced  Plastics）であって、ガラス繊維を強化材とし、軟質樹脂（例えば、軟質ポリエステル樹脂）をマトリックス樹脂として構成する。なお、繊維強化軟質樹脂において、強化材としてカーボン繊維、アラミド繊維等を採用でき、軟質樹脂（マトリックス樹脂）として、軟質ビニルエステル樹脂、軟質フェノール樹脂等を採用できる。
【００１６】
次に、横引きドレイン管Ｘの設置について、図８乃至図１６を参照して説明する。
【００１７】
図８乃至図１６において、横引きドレイン管Ｘは、バルコニー等の屋外の床Ｆと、床Ｆに立設される壁Ｗに固着されると共に、壁Ｗ内に設けられ、床Ｆを流れる水を排水する。屋外の床Ｆ及び壁Ｗは、図８乃至図１６に示すように、例えば、バルコニーＢＫを構成する。
【００１８】
先ず、バルコニーＢＫに溝穴を加工する（溝穴工程／図８参照）。溝穴工程において、バルコニーＢＫには、横側穴溝１１、縦側穴溝１２、及び横配管穴１３を形成する（図８参照）。
【００１９】
横側穴溝１１は、図８に示すように、床Ｆ及び壁Ｗの境界部分を含む床Ｆに形成される。横側穴溝１１は、横側鍔平板４と同一形状（長方形）に形成され、床Ｆの表面Ｆ１に開口する。横側穴溝１１の溝深さｈ１は、横側鍔平板４の板厚Ｔと同一にされ、横側鍔平板４を嵌込み自在にする。
【００２０】
縦側穴溝１２は、図８に示すように、床Ｆ及び壁Ｆの境界部分を含む壁Ｗに形成される。縦側穴溝１２は、縦側鍔平板３を同一形状（長方形）に形成され、壁Ｗの表面Ｗ１に開口する。縦側穴溝１２の溝深さｈ２は、縦側鍔平板３の板厚Ｔと同一にされ、縦側鍔平板３を嵌込み自在にする。
【００２１】
横側穴溝１１及び縦側穴溝１２は、図８に示すように、床Ｆ及び壁Ｗの境界部分を含んで連続して形成される。
【００２２】
横配管穴１３は、図８に示すように、壁Ｗに形成される。横配管穴１３は、床Ｆ及び壁Ｗの境界部分を含む壁Ｗに配置され、壁Ｗを貫通して、管本体２を挿通自在にする。横配管穴１３は、横側穴溝１１及び縦側穴溝１２に開口（連通）する。
【００２３】
次に、横引きドレイン管ＸをバルコニーＢＫ（床Ｆ及び壁Ｗ）に固着する（固着工程／図９乃至図１２参照）。
【００２４】
横引きドレイン管Ｘにおいて、縦側鍔平板３の表裏面３Ａ，３Ｂを粗面（目粗）にし、及び横側鍔平板４の表裏面４Ａ，４Ｂを粗面（目粗）にする。各鍔平板３，４は、例えば、サンドペーパを使用して表裏面３Ａ，３Ｂ、４Ａ，４Ｂを目粗にする。
続いて、横引きドレイン管Ｘにおいて、縦側鍔平板３の裏面３Ｂ、及び横側鍔平板４の裏面４Ｂにシール材ＳＰ（接着剤）を塗布する。
シール材ＳＰは、接着剤であって、例えば、イソフタル酸系不飽和ポリエステル樹脂（熱硬化性樹脂）である。シール材ＳＰにおいて、イソフタル酸系不飽和ポリエステル樹脂には、添加剤として、重合禁止剤、ワックス等を含有する。
【００２５】
続いて、横引きドレイン管Ｘは、図１０に示すように、管本体２を横配管穴１３内に挿通して、壁Ｗ内に設ける。管本体２は、横配管穴１３に当接して壁Ｗに保持される。また、縦側鍔平板３は、図９乃至図１２に示すように、裏面３Ｂ側（シール材側）から縦側穴溝１２内に嵌込まれ、横側鍔平板４は、裏面４Ｂ側（シール材側）から横側穴溝１１内に嵌込まれる。このとき、横引きドレイン管Ｘは、図１１及び図１２に示すように、縦側鍔平板３の裏面３Ｂ及び縦側穴溝１２間にシール材（接着剤）を介在し、横側鍔平板４の裏面４及び横側穴溝１１間にシール材（接着剤）を介在して、横側穴溝１１内に横側鍔平板４を嵌込み、及び縦側穴溝１２内に縦側鍔平板３を嵌込む。横引きドレイン管Ｘにおいて、縦側鍔平板３は、図１１に示すように、シート材ＳＰ（接着剤）にて縦側穴溝１２内の壁Ｗに固着（接着）され、横側鍔平板４は、図１２に示すように、シート材ＳＰ（接着剤）にて横側穴溝１１内の床Ｆに固着（接着）される。
【００２６】
横引きドレイン管Ｘにおいて、各鍔平板３，４は、繊維強化軟質樹脂（繊維強化の軟質樹脂）で形成されているので、可撓性（柔軟性）を有する。これにより、横引きドレイン管Ｘでは、縦側鍔平板３及び横側鍔平板４を横側穴溝１１内の床Ｆ及び縦側溝穴１２内の壁Ｗに倣うように変形して各穴溝１１，１２内に各鍔平板３，４を嵌込むことができ、シール材（接着剤）にて床Ｆ（横側穴溝１１内の床）及び壁Ｗ（縦側穴溝１２内の壁）に強固に固着（一体化）できる。
【００２７】
また、各鍔平板３，４に塗布するシール材は、軟質ＦＲＰの軟質樹脂（例えば、軟質ポリエステル樹脂）と相性の良い、イソフタル酸系不飽和ポリエステルを主成分とする樹脂（接着）であるので、各鍔平板３，４（軟質ＦＲＰ）との接着性が良好となり、各鍔平板３，４の裏面３Ｂ，４Ｂ及び各穴溝１１，１２間における防水層としての信頼性も向上する。
そして、必要に応じて、縦側鍔平板３及び横側鍔平板４は、釘又はネジ等（図示しない）により床Ｆ又は壁Ｗに固定される。
また、必要に応じて、プライマー（図示しない）を塗布する。プライマーは、防水を必要とする箇所、例えば、床Ｆ及び壁Ｗの境界部分等に塗布する。プライマーは、例えば、湿気硬化型ウレタン樹脂である。
【００２８】
続いて、ガラス繊維シートＧＳを敷設する（敷設工程／図１３及び図１４参照）。繊維シート設置工程は、先ず、ガラス繊維シートＧＳを、横引きドレイン管Ｘの各鍔平板３，４を含む床Ｆ及び壁Ｗに敷設する。ガラス繊維シートＧＳは、床Ｆの表面Ｆ１、横側穴溝１１内の横側鍔平板４の表面４Ａに敷設される。ガラス繊維シートＧＳは、壁Ｗの表面Ｗ１及び縦側穴溝１２内の縦側鍔平板３の表面３Ａに敷設される。
続いて、ガラス繊維シートＧＳ上からシート用樹脂ＳＪ（接着剤）を塗布して、ガラス繊維シートＧＳを床Ｆ、各鍔平板３，４及び壁Ｗに固着する。シート用樹脂ＳＪ（接着剤）は、例えば、不飽和ポリエステル樹脂（熱硬化性樹脂）である。シート用樹脂ＳＪ（接着剤）において、イソフタル酸系不飽和ポリエステル樹脂には、添加剤として、重合禁止剤、ワックス等を含有する。
また、横引きドレイン管Ｘにおいて、ドレイン穴５に位置するガラス繊維シートＧＳ（シート用樹脂）を取り除く。
【００２９】
最後に、仕上材ＢＺを塗布する（仕上工程／図１５及び図１６参照）。仕上工程において、仕上材ＢＺは、ガラス繊維シートＧＳ上に塗布される。
仕上材ＢＺは、ガラス繊維シートＧＳ上から、床Ｆの表面Ｆ１、横側鍔平板４の表面４Ａ、ドレイン穴５を除く縦側鍔平板３の表面３Ａ、及び壁Ｗの表面Ｗ１に塗布される。
仕上材ＢＺは、防水層を形成し、例えば、イソフタル酸系不飽和ポリエステル樹脂（熱可塑性樹脂）である。仕上材ＢＺにおいて、イソフタル酸系不飽和ポリエステル樹脂には、添加剤として、充填材、顔料、骨材、重合禁止剤、ワックス等を含有する。
【００３０】
バルコニーＢＫに設置された横引きドレイン管Ｘは、例えば、塩化ビニル製排水管Ｙに連結され（図１６参照）、又は雨樋（図示しない）上に配置される。
また、バルコニーＢＫに設置された横引きドレイン管Ｘは、ドレインカバー（図示しない）にてドレイン穴５が覆われる。なお、ドレインカバーは、床Ｆ上（仕上材上）に設置されて、壁Ｗの表面Ｗ１側から横引きドレイン管Ｘ（ドレイン穴５）を覆う。
バルコニーＢＫにおいて、床Ｆを流れる水（雨水等）は、横側鍔平板４上（仕上材ＢＺ）から管本体２の管底平板部２Ｈを流れ、ドレイン穴５内に流入される。
【００３１】
なお、図８乃至図１３では、横引きドレイン管Ｘを設置する一例を示したもので、これに限定されない。
【産業上の利用可能性】
【００３２】
本考案は、バルコニー等の屋外の床及び壁に固着されると共に、壁内に設けられ、床を流れる水を排水する横引きドレイン管に最適である。
【符号の説明】
【００３３】
Ｘ  横引きドレイン管
Ｆ  床
Ｗ  壁
１  鍔板本体
２  管本体
２Ａ  一方の管端
３  縦側鍔平板
４  横側鍔平板
５  ドレイン穴
【図１】
0003206461.tif 000003
【図２】
0003206461.tif 000004
【図３】
0003206461.tif 000005
【図４】
0003206461.tif 000006
【図５】
0003206461.tif 000007
【図６】
0003206461.tif 000008
【図７】
0003206461.tif 000009
【図８】
0003206461.tif 000010
【図９】
0003206461.tif 000011
【図１０】
0003206461.tif 000012
【図１１】
0003206461.tif 000013
【図１２】
0003206461.tif 000014
【図１３】
0003206461.tif 000015
【図１４】
0003206461.tif 000016
【図１５】
0003206461.tif 000017
【図１６】
0003206461.tif 000018